(57)【要約】【課題】穿刺した状態でも撮影面を変えることが出来る超音波穿刺アタッチメントを提供する。【解決手段】プローブを保持するための保持フレーム２１と、その保持フレーム２１の両端に設けられた主支持部２２および副支持部２３を介して保持フレーム２１を支持する支持リング１２と、その支持リング１２に固定され且つ穿刺針Ｎを所定方向にガイドするための穿刺針ガイド１１とを具備している。【効果】保持フレーム２１を基準姿勢かつ基準方向にすると、撮影面内に常に穿刺針を捉えながら穿刺することが出来る。保持フレームを基準姿勢および／または基準方向から変更すると、撮影面をチルトおよび／または回転させることが出来るので、穿刺した部分の周囲の状況を観察することが出来る。【選択図】図１
2007300998.tif 000002
【特許請求の範囲】
【請求項１】
プローブを保持するためのプローブ保持手段と、前記プローブ保持手段で保持したプローブによる撮影面をチルトさせうるように前記プローブ保持手段を姿勢変更可能に支持する支持手段と、前記プローブ保持手段が基準姿勢のときの撮影面に穿刺可能に穿刺針をガイドする穿刺針ガイド手段とを具備したことを特徴とする超音波穿刺アタッチメント。
【請求項２】
請求項１に記載の超音波穿刺アタッチメントにおいて、前記プローブ保持手段が基準姿勢にあることを操作者に視覚または聴覚または触覚により認識させるための手段を具備したことを特徴とする超音波穿刺アタッチメント。
【請求項３】
請求項１または請求項２に記載の超音波穿刺アタッチメントにおいて、前記プローブ保持手段を基準姿勢に維持するための基準姿勢維持手段を具備したことを特徴とする超音波穿刺アタッチメント。
【請求項４】
プローブを保持するためのプローブ保持手段と、前記プローブ保持手段で保持したプローブによる撮影面を回転させうるように前記プローブ保持手段を方向変更可能に支持する支持手段と、前記プローブ保持手段が基準方向のときの撮影面に穿刺可能に穿刺針をガイドする穿刺針ガイド手段とを具備したことを特徴とする超音波穿刺アタッチメント。
【請求項５】
請求項４に記載の超音波穿刺アタッチメントにおいて、前記プローブ保持手段が基準方向にあることを操作者に視覚または聴覚または触覚により認識させるための手段を具備したことを特徴とする超音波穿刺アタッチメント。
【請求項６】
請求項４または請求項５に記載の超音波穿刺アタッチメントにおいて、前記プローブ保持手段を基準方向に維持するための基準方向維持手段を具備したことを特徴とする超音波穿刺アタッチメント。
【請求項７】
プローブを保持するためのプローブ保持手段と、前記プローブ保持手段で保持したプローブによる撮影面をチルト・回転させうるように前記プローブ保持手段を姿勢変更・方向変更可能に支持する支持手段と、前記プローブ保持手段が基準姿勢・基準方向のときの撮影面に穿刺可能に穿刺針をガイドする穿刺針ガイド手段とを具備したことを特徴とする超音波穿刺アタッチメント。
【請求項８】
請求項７に記載の超音波穿刺アタッチメントにおいて、前記プローブ保持手段が基準姿勢・基準方向にあることを操作者に視覚または聴覚または触覚により認識させるための手段を具備したことを特徴とする超音波穿刺アタッチメント。
【請求項９】
請求項７または請求項８に記載の超音波穿刺アタッチメントにおいて、前記プローブ保持手段を基準姿勢・基準方向に維持するための基準姿勢・基準方向維持手段を具備したことを特徴とする超音波穿刺アタッチメント。
【発明の詳細な説明】
【技術分野】
【０００１】
本発明は、超音波穿刺アタッチメントに関し、さらに詳しくは、穿刺した状態でも撮影面を変えることが出来る超音波穿刺アタッチメントに関する。
【背景技術】
【０００２】
従来、プローブを一定姿勢・一定方向に保持するためのプローブ保持手段と、そのプローブ保持手段で保持したプローブによる撮影面に穿刺可能に穿刺針をガイドする穿刺針ガイド手段とを具備した超音波穿刺アタッチメントが知られている（例えば、特許文献１参照。）。
【特許文献１】特開平８−６１７号公報
【発明の開示】
【発明が解決しようとする課題】
【０００３】
上記従来の超音波穿刺アタッチメントでは、撮影面内に常に穿刺針を捉えながら穿刺することが出来る。
しかし、穿刺した状態では、撮影面を変えることが出来ないため、穿刺した部分の周囲の状況を観察できない問題点があった。
そこで、本発明の目的は、穿刺した状態でも撮影面を変えることが出来る超音波穿刺アタッチメントを提供することにある。
【課題を解決するための手段】
【０００４】
第１の観点では、本発明は、プローブを保持するためのプローブ保持手段と、前記プローブ保持手段で保持したプローブによる撮影面をチルトさせうるように前記プローブ保持手段を姿勢変更可能に支持する支持手段と、前記プローブ保持手段が基準姿勢のときの撮影面に穿刺可能に穿刺針をガイドする穿刺針ガイド手段とを具備したことを特徴とする超音波穿刺アタッチメントを提供する。
上記第１の観点による超音波穿刺アタッチメントでは、プローブ保持手段を姿勢変更可能に支持手段で支持している。そして、プローブ保持手段を基準姿勢にすると、撮影面内に常に穿刺針を捉えながら穿刺することが出来る。また、プローブ保持手段を基準姿勢から姿勢変更すると、撮影面をチルトさせることが出来るので、穿刺した部分の周囲の状況を観察可能となる。
【０００５】
第２の観点では、本発明は、前記第１の観点による超音波穿刺アタッチメントにおいて、前記プローブ保持手段が基準姿勢にあることを操作者に視覚または聴覚または触覚により認識させるための手段を具備したことを特徴とする超音波穿刺アタッチメントを提供する。
上記第２の観点による超音波穿刺アタッチメントでは、操作者は、穿刺する際に、プローブ保持手段が基準姿勢にあることを確認することが出来る。
【０００６】
第３の観点では、本発明は、前記第１または前記第２の観点による超音波穿刺アタッチメントにおいて、前記プローブ保持手段を基準姿勢に維持するための基準姿勢維持手段を具備したことを特徴とする超音波穿刺アタッチメントを提供する。
上記第３の観点による超音波穿刺アタッチメントでは、穿刺する際に、プローブ保持手段を基準姿勢に固定することが出来る。
【０００７】
第４の観点では、本発明は、プローブを保持するためのプローブ保持手段と、前記プローブ保持手段で保持したプローブによる撮影面を回転させうるように前記プローブ保持手段を方向変更可能に支持する支持手段と、前記プローブ保持手段が基準方向のときの撮影面に穿刺可能に穿刺針をガイドする穿刺針ガイド手段とを具備したことを特徴とする超音波穿刺アタッチメントを提供する。
上記第４の観点による超音波穿刺アタッチメントでは、プローブ保持手段を方向変更可能に支持手段で支持している。そして、プローブ保持手段を基準方向にすると、撮影面内に常に穿刺針を捉えながら穿刺することが出来る。また、プローブ保持手段を基準方向から方向変更すると、撮影面を回転させることが出来るので、穿刺した部分の周囲の状況を観察可能となる。
【０００８】
第５の観点では、本発明は、前記第４の観点による超音波穿刺アタッチメントにおいて、前記プローブ保持手段が基準方向にあることを操作者に視覚または聴覚または触覚により認識させるための手段を具備したことを特徴とする超音波穿刺アタッチメントを提供する。
上記第５の観点による超音波穿刺アタッチメントでは、操作者は、穿刺する際に、プローブ保持手段が基準方向にあることを確認することが出来る。
【０００９】
第６の観点では、本発明は、前記第４または前記第５の観点による超音波穿刺アタッチメントにおいて、前記プローブ保持手段を基準方向に維持するための基準方向維持手段を具備したことを特徴とする超音波穿刺アタッチメントを提供する。
上記第６の観点による超音波穿刺アタッチメントでは、穿刺する際に、プローブ保持手段を基準方向に固定することが出来る。
【００１０】
第７の観点では、本発明は、プローブを保持するためのプローブ保持手段と、前記プローブ保持手段で保持したプローブによる撮影面をチルト・回転させうるように前記プローブ保持手段を姿勢変更・方向変更可能に支持する支持手段と、前記プローブ保持手段が基準姿勢・基準方向のときの撮影面に穿刺可能に穿刺針をガイドする穿刺針ガイド手段とを具備したことを特徴とする超音波穿刺アタッチメントを提供する。
上記第７の観点による超音波穿刺アタッチメントでは、プローブ保持手段を姿勢変更および方向変更可能に支持手段で支持している。そして、プローブ保持手段を基準姿勢かつ基準方向にすると、撮影面内に常に穿刺針を捉えながら穿刺することが出来る。また、プローブ保持手段を基準姿勢および／または基準方向から変更すると、撮影面をチルトおよび／または回転させることが出来るので、穿刺した部分の周囲の状況を観察可能となる。
【００１１】
第８の観点では、本発明は、前記第７の観点による超音波穿刺アタッチメントにおいて、前記プローブ保持手段が基準姿勢・基準方向にあることを操作者に視覚または聴覚または触覚により認識させるための手段を具備したことを特徴とする超音波穿刺アタッチメントを提供する。
上記第８の観点による超音波穿刺アタッチメントでは、操作者は、穿刺する際に、プローブ保持手段が基準姿勢かつ基準方向にあることを確認することが出来る。
【００１２】
第９の観点では、本発明は、前記第７または前記第８の観点による超音波穿刺アタッチメントにおいて、前記プローブ保持手段を基準姿勢・基準方向に維持するための基準姿勢・基準方向維持手段を具備したことを特徴とする超音波穿刺アタッチメントを提供する。
上記第９の観点による超音波穿刺アタッチメントでは、穿刺する際に、プローブ保持手段を基準姿勢かつ基準方向に固定することが出来る。
【発明の効果】
【００１３】
本発明の超音波穿刺アタッチメントによれば、穿刺した状態でも撮影面を変えることが出来るので、穿刺した状態で穿刺した部分の周囲の状況を観察可能となる。
【発明を実施するための最良の形態】
【００１４】
以下、図に示す実施の形態により本発明をさらに詳細に説明する。なお、これにより本発明が限定されるものではない。
【実施例１】
【００１５】
図１は、実施例１に係る超音波穿刺アタッチメント１００の平面図である。また、図２は、同正面図である。また、図３は、同右側面図である。
この超音波穿刺アタッチメント１００は、プローブＰの先端部分を差し込んで保持するための保持孔２１ａを有する保持フレーム２１と、その保持フレーム２１に保持したプローブＰによる走査方向に相当する保持フレーム２１の両端に設けられた主支持部２２および副支持部２３と、それら主支持部２２および副支持部２３を介して保持フレーム２１を支持する支持リング１２と、その支持リング１２に固定され且つ穿刺針Ｎを所定方向にガイドするためのガイド孔１１ａを有する穿刺針ガイド１１とを具備している。
【００１６】
図１〜図３では、保持フレーム２１が基準姿勢かつ基準方向にあり、保持フレーム２１に保持したプローブＰによる撮影面内に常に穿刺針Ｎを捉えながら穿刺することが出来る。
【００１７】
図４は、図１のＡ−Ａ’断面図である。
主支持部２２は、スプリング２２ａで付勢されたボール２２ｂと、スプリング２２ｃで付勢されたボール２２ｄとを有している。
副支持部２３は、スプリング２３ａで付勢されたボール２３ｂを有している。
【００１８】
図５は、図４のＢ−Ｂ’断面図である。
支持リング１２の内壁には、円周溝１２ａが刻設されている。その円周溝１２ａに、ボール２２ｂとボール２３ｂが嵌合している。
保持フレーム２１を基準方向にしたときにボール２２ｂとボール２３ｂが当接する円周溝１２ａの部分には、凹部１２ｂおよび凹部１２ｃが設けられている。このため、保持フレーム２１を基準方向に維持することが出来る。
【００１９】
図６は、図４のＣ−Ｃ’断面図である。
保持フレーム２１を基準方向かつ基準姿勢にしたときにボール２２ｄが当接する支持リング１２の内壁には、凹部１２ｄが設けられている。このため、保持フレーム２１を基準姿勢に維持することが出来る。
【００２０】
図７に示すように、操作者がプローブＰの姿勢を変えるように力を加えると、スプリング２２ｃの付勢力に抗してボール２２ｄが凹部１２ｄを脱し、プローブＰの姿勢が変わる。これにより、撮影面をチルトさせることが出来る。
【００２１】
図８に示すように、操作者がプローブＰの方向を変えるように力を加えると、スプリング２２ａの付勢力に抗してボール２２ｂが凹部１２ｂを脱すると共にスプリング２３ａの付勢力に抗してボール２３ｂが凹部１２ｃを脱し、プローブＰの方向が変わる。これにより、撮影面を回転させることが出来る。
【００２２】
保持フレーム２１を基準方向にすると、スプリング２２ａの付勢力によりボール２２ｂが凹部１２ｂに嵌ると共にスプリング２３ａの付勢力によりボール２３ｂが凹部１２ｃに嵌り、その音および振動で、操作者はプローブＰが基準方向になったことを知ることが出来る。また、プローブＰの主支持部２２の位置が穿刺針ガイド１１の位置に合うことによっても、プローブＰが基準方向になったことを確認できる。
【００２３】
保持フレーム２１を基準方向かつ基準姿勢にすると、スプリング２２ｃの付勢力によりボール２２ｄが凹部１２ｄに嵌り、その音および振動で、操作者はプローブＰが基準姿勢になったことを知ることが出来る。また、プローブＰが穿刺針ガイド１１の立設方向に平行になることによっても、プローブＰが基準姿勢になったことを確認できる。
【００２４】
実施例１の超音波穿刺アタッチメント１００によれば、保持フレーム２１を基準姿勢かつ基準方向にすると、撮影面内に常に穿刺針Ｎを捉えながら穿刺することが出来る。また、保持フレーム２１を基準姿勢および／または基準方向から変更すると、撮影面をチルトおよび／または回転させることが出来るので、穿刺した部分の周囲の状況を観察することが出来る。
【実施例２】
【００２５】
円周溝１２ａを省いて凹部１２ｂ，１２ｃのみを設ければ、プローブＰの姿勢のみを変更可能に出来る。
【実施例３】
【００２６】
スプリング２２ｃおよびボール２２ｄの代わりに突起を設けると共にその突起が通る円周溝を支持リング１２の内壁に設ければ、プローブＰの回転のみを変更可能に出来る。
【産業上の利用可能性】
【００２７】
本発明の超音波穿刺アタッチメントは、超音波診断装置を用いた穿刺に利用できる。
【図面の簡単な説明】
【００２８】
【図１】実施例１に係る超音波穿刺アタッチメントを示す平面図である。
【図２】実施例１に係る超音波穿刺アタッチメントを示す正面図である。
【図３】実施例１に係る超音波穿刺アタッチメントを示す右側面図である。
【図４】図１のＡ−Ａ’断面図である。
【図５】図４のＢ−Ｂ’断面面図である。
【図６】図４のＣ−Ｃ’断面面図である。
【図７】保持フレームの姿勢を傾けた状態を示す右側面図である。
【図８】保持フレームの方向を回転させた状態を示す図５相当図である。
【符号の説明】
【００２９】
１１                        穿刺針ガイド
１１ａ                      ガイド孔
１２                        支持リング
１２ａ                      円周溝
１２ｂ，１２ｃ，１２ｄ      凹部
２１                        保持フレーム
２１ａ                      保持孔
２２                        主支持部
２２ａ，２２ｃ              スプリング
２２ｂ，２２ｄ              ボール
２３                        副支持部
２３ａ                      スプリング
２３ｂ                      ボール
１００                      超音波穿刺アタッチメント
【図１】
2007300998.tif 000003
【図２】
2007300998.tif 000004
【図３】
2007300998.tif 000005
【図４】
2007300998.tif 000006
【図５】
2007300998.tif 000007
【図６】
2007300998.tif 000008
【図７】
2007300998.tif 000009
【図８】
2007300998.tif 000010